(57)【要約】【課題】同じイヤホンを用いつつオーディオ機器と電話機を使い分けることができるオーディオ機器用リモコンを提供する。【解決手段】イヤホン４０とマイク９が装備されるオーディオ機器用リモコン１００。オーディオ機器の音声出力部と接続可能な音声入力部を備えるとともにイヤホン及びマイクが接続されるリモコンユニット２と、近距離無線通信機能を備えた電話機と無線通信可能な近距離無線通信ユニット３とを搭載し、電話機６との音声信号伝送を近距離無線通信を通じて行う。【選択図】        図２
2005311768.tif 000002
【特許請求の範囲】
【請求項１】
イヤホン及びマイクが装備される、オーディオ機器に用いるリモコンであって、
前記オーディオ機器の音声出力部と接続可能な音声入力部を備えるとともに前記イヤホン及び前記マイクが接続されるリモコンユニットと、近距離無線通信機能を備えた電話機と無線通信可能な近距離無線通信ユニットとを搭載し、前記電話機との間の音声信号伝送が近距離無線通信を通じて可能であることを特徴とするオーディオ機器用リモコン。
【請求項２】
前記音声入力部が前記オーディオ機器の音声出力部としてのプラグに接続可能なジャックであることを特徴とする請求項１に記載のオーディオ機器用リモコン。
【請求項３】
前記音声入力部が前記オーディオ機器の音声出力部と無線通信で接続されていることを特徴とする請求項１に記載のオーディオ機器用リモコン。
【請求項４】
前記オーディオ機器との音声信号伝送と、前記電話機との音声信号伝送とが前記電話機との音声信号伝送を優先として選択的に切り換えられることを特徴とする請求項１〜３のいずれか１項に記載のオーディオ機器用リモコン。
【請求項５】
前記電話機との間で前記近距離無線通信を通じて発着信制御信号の伝送が可能であることを特徴とする請求項１〜４のいずれか１項に記載のオーディオ機器用リモコン。
【請求項６】
電話帳モジュールが備えられ、ディスプレイに一覧表示された氏名の内選択された氏名に該当する電話番号が近距離無線通信を通じて電話機に送られることを特徴とする請求項５に記載のオーディオ機器用リモコン。
【請求項７】
前記電話機に送り出される前記発着信制御信号には音声認識された発信電話番号が含まれていることを特徴とする請求項５に記載のオーディオ機器用リモコン。
【請求項８】
前記電話機から受け取る前記発着信制御信号には着信電話番号又は着信氏名が含まれており、前記着信電話番号又は着信氏名をディスプレイに表示する着信表示機能が備えられていることを特徴とする請求項５に記載のオーディオ機器用リモコン。
【請求項９】
前記電話機から受け取った音声信号をイヤホンに送り出す際に予め設定された音声ボリューム値に調整する電話音声ボリューム調整機能が備えられていることを特徴とする請求項５〜８のいずれか１項に記載のオーディオ機器用リモコン。
【発明の詳細な説明】
【技術分野】
【０００１】
本発明は、携帯ＭＤプレーヤなどのオーディオ機器から出力される音声を個人的にのみ聞くためのイヤホンに接続されるオーディオ機器用リモコンに関する。なお、ここではイヤホンなる語句は、ヘッドホン等も含むものとして用いられている。
【背景技術】
【０００２】
ＭＤプレーヤやＣＤプレーヤといった携帯オーディオ機器に付属しているヘッドホンのヘッドホンコードの途中に、プレーヤの動作をリモコン操作するための操作キーやプレーヤの動作状態を表示するディスプレイが組み込まれたリモコンユニットが設けられており、このリモコンユニットによってプレーヤの主なる操作を行うことができるとともに、そのディスプレイを通じてその操作を確認することができる。このように、携帯オーディオ機器をバッグやポケットに入れたままオーディオ機器を操作して音楽を聴くことを可能とするオーディオ用リモコンが従来から知られている（例えば、特許文献１参照。）。
【０００３】
携帯電話の普及により、マイクとヘッドホンを装備したコントローラに携帯電話と携帯オーディオ機器とを接続しておき、ユーザが携帯オーディオ機器を使用している時に携帯電話に着信があった場合、このコントローラがパルス音をヘッドホンを介してユーザに伝え、ユーザの操作に応じてこの携帯電話を使って着信相手と会話できる技術も知られている（例えば、特許文献２参照。）。
【特許文献１】特開平１１−１０３４９３号公報（０００３−００１７、図６）
【特許文献１】特開平１１−５５３６６号公報（０００７−００１０、図１）
【発明の開示】
【発明が解決しようとする課題】
【０００４】
上述した従来技術では、携帯オーディオ機器使用時に携帯電話への対応ができ、コントローラに携帯オーディオ機器のリモコンボタンを設けることで、携帯オーディオ機器と携帯電話の両方をバッグやポケットに入れておいて、イヤホンを通じて音楽を楽しむことや、その間にかかってきた着信電話に対してはイヤホンやマイクを通じて会話を楽しむことができる。このようなコントローラを携帯オーディオ機器の操作などのためのリモコンとして機能させる場合には、手で操作し易い場所に付けておく必要があるが、コントローラから携帯電話及び携帯オーディオ機器に延びる２つのコードが非常にじゃまになるばかりか、外観的にも好ましくないものとなっていた。さらに、上記のコントローラでは、携帯オーディオ機器使用時における携帯電話への着信には対応できるが、その携帯電話からの発信時には、少なくとも携帯電話を取り出して発信操作を行う必要がある。
上記実状に鑑み、本発明の課題は、同じイヤホンを用いつつオーディオ機器と電話機とを従来の不都合なしで使い分けることができるオーディオ機器用リモコンを提供することである。
【課題を解決するための手段】
【０００５】
上記課題を解決するため、イヤホン及びマイクが装備される、本発明によるオーディオ機器用リモコンでは、前記オーディオ機器の音声出力部と接続可能な音声入力部を備えるとともに前記イヤホン及び前記マイクが接続されるリモコンユニットと、近距離無線通信機能を備えた電話機と無線通信可能な近距離無線通信ユニットとを搭載し、前記電話機との音声信号伝送が近距離無線通信を通じて可能である。
【０００６】
このリモコンでは、電話機とリモコンとの間は、Bluetoothのような近距離無線規格を用いた無線通信でデータ伝送されるので、電話機とリモコンとの間にコードを必要としない。このため、リモコンとオーディオ機器との間がコードで接続されたとしても１本だけですみ、そのコードの配線処理が楽になる。オーディオ機器の実質的に必須アイテムとしてのリモコンに装備されたイヤホン及びマイクにより電話での会話が可能になるにもかかわらず、電話機との接続コードが省かれることは、電話機を保管する場所の選択範囲を広げることになる。特に、この電話機が常にユーザが身につける携帯電話であり、オーディオ機器が携帯オーディオ機器である場合、上記利点は重要である。
【０００７】
もちろん、リモコンとオーディオ機器の間の音声信号の伝送も無線で行うならば、リモコンは電話機とオーディオ機器とのコード接続から開放され、ユーザにとってさらに好都合である。特に、電話機がいわゆる部屋に据え付けられている固定電話の場合、リビングでオーディオ機器（テレビ等のＡＶ機器を含む）からの音楽や音声をイヤホン（＝ヘッドホン）で聴きながら、固定電話に応対することが可能となり、新しい生活環境を作り出す道が開ける。
【０００８】
本発明による好適な形態の１つでは、前記オーディオ機器との音声信号伝送と前記電話機との音声信号伝送とが前記電話機との音声信号伝送を優先として選択的に切り換えられるように構成されている。つまり、ユーザがオーディオ機器からの音声信号としての音楽を聴いている途中に、近距離無線通信ユニットを通じて電話着信があったことが通知されると、オーディオ機器からイヤホンへの音声信号の接続を遮断して、近距離無線通信ユニットを介しての電話機からイヤホンへの音声信号の接続を行うスイッチング手段が設けられていることで、大きな音量で音楽を聴いていても、確実に電話の着信を知ることができ、電話機が無用に鳴り続けるといった不都合が回避される。
【０００９】
さらに、本発明の好適な形態の１つでは、前記電話機との間で前記近距離無線通信を通じて発着信制御信号の伝送も可能に構成されており、このリモコンでの操作を通じて電話機に対する発着信操作が可能となり、ユーザはリモコン操作で、電話に出たり、電話をかけたりすることができる。リモコンの操作ボタンはスペースを考慮して最小限に抑えられることが多いので、リモコンに電話帳モジュールを備えておき、ディスプレイに一覧表示された氏名を選択することで該当する電話番号を近距離無線通信を通じて電話機に送るようにすることが好ましい。また、リモコンに音声認識ユニットが含まれている場合、音声認識された発信電話番号を発信制御信号（発着信制御信号のうちの１つである）として電話機に送るような構成を採用することも可能である。
【００１０】
さらに、本発明の好適な形態として、電話機から受け取る着信制御信号（発着信制御信号のうちの他の１つである）には着信電話番号又は着信氏名が含まれており、着信電話番号又は着信氏名をディスプレイに表示する着信表示機能が備えられるならば、電話機を見なくとも手元のリモコンで、誰から着信があったかを把握できるので、着信電話に応対するかしないかを、容易に判断することができる。
【００１１】
一般的にオーディオ機器の音声出力レベルと電話機つまり近距離無線通信ユニットの音声出力レベルは異なっている。このため、オーディオ機器からの音声（音楽）と電話機からの音声をイヤホンで同じ音量で聴くためには、ユーザがオーディオ機器と電話機の接続切換毎に音量ボリュームを設定し直さなければならない。このような不都合を回避するために、本発明の好適な形態の１つとして、前記電話機から受け取った音声信号をイヤホンに送り出す際に前設定された音声ボリューム値に調整する電話音声ボリューム調整機能が備えられていることが提案される。
本発明によるその他の特徴及び利点は、以下図面を用いた実施形態の説明により明らかになるだろう。
【発明を実施するための最良の形態】
【００１２】
図１に本発明によるオーディオ機器用リモコン（以下単にリモコンと称する）１００の外観が、このリモコン１００に有線接続されるオーディオ機器としてのＭＤプレーヤ１及びこのリモコン１００に無線接続される電話機としての携帯電話６とともに示されている。リモコン１００のイヤホンプラグ７には先端に左右一対のイヤホン４０を設けたイヤホンユニット４のジャック４１が差し込まれ、リモコン１００のオーディオ機器用ジャック８をＭＤプレーヤ１のプラグ１０に差し込むことにより、いわゆるヘッドホンステレオが作り出され、ユーザはイヤホンを耳に付け、リモコン１００を操作することでＭＤプレーヤ１に装填されたＭＤの音楽を聴くことができる。さらにこのリモコン１００にはその本体にマイク９が設けられているが、このマイク９はイヤホンユニット４側に装備しても良い。
【００１３】
このリモコン１００はイヤホン４０とＭＤプレーヤ１との間を有線接続するコードに介装された形態で構成されており、従来通りにＭＤプレーヤ１の各種操作を行うためのキーマトリックス（キーやスイッチのグループ）２０や各種情報を表示するＬＣＤ（液晶ディスプレイ）２１を備えている。図２に示されているようにＭＤプレーヤ１には、ＭＤを回転させながらピックアップユニットから音声信号（オーディオ信号）を取り出すＭＤドライブ機構１１と、ＭＤドライブ機構１１から取り出された音声信号を処理するオーディオコントローラ１２、ＭＤドライブ機構１１を構成する各種デバイスを制御するデバイスコントローラ１３、ユーザによる各種操作のためのキーマトリックス１４、各種情報を表示するＬＣＤ（液晶ディスプレイ）１５、そしてこのＭＤプレーヤ１の機能全体を制御するシステムコントロールとしてのマイコン１６が備えられている。このＭＤプレーヤ１のプラグ１０は７つの設定を有している。第１接点１０ａと第２接点１０ｂはそれぞれオーディオコントローラの出力とつながっている左チャンネルオーディオ接点と右チャンネルオーディオ接点であり、第３接点１０ｃはオーディオ信号用の接地接点である。第４接点１０ｄはリモコン１００に給電するための直流電圧出力接点であり、第５接点１０ｅはリモコン１００からのリモコン信号（図２ではREMOと付記されている）を受信するリモコン接点であり、第６接点１０ｆはリモコン１００のＬＣＤ２１に表示する表示データ（図２ではDISPと付記されている）をリモコン１００に送信するための表示接点であり、第７接点１０ｇはそれらの共通接地接点である。
【００１４】
このＭＤプレーヤ１のプラグ１０に差し込まれるリモコン１００のオーディオ機器用ジャック８もプラグ１０に対応する７つの接点を有しているが、その内容はプラグ１０と同じなのでその説明は省略する。つまり、この実施形態では、オーディオ機器１の音声出力部がプラグ１０として構成され、リモコン１００の音声入力部がジャック８として構成されている。
【００１５】
リモコン１００は、機能的にはリモコンユニット２と近距離無線ユニットとしてのbluetooth（ブルートゥース）ユニット（以下単に無線ユニットと称する）３とから構成されている。bluetooth（ブルートゥース）は、Ericsson社、IBM社、Intel社、Nokia社、東芝の5社が中心となって提唱された携帯情報機器向けの無線通信技術であり、この実施形態ではリモコン１００と携帯電話６との間の無線データ伝送方式として利用している。
【００１６】
リモコンユニット２は、キーマトリックス２０を用いた操作を処理するリモコン操作制御とＬＣＤ２１に対する表示制御及び無線ユニット３とのデータ交換制御などを行うマイコン２２と、イヤホンユニット４への音声信号の音量調整を行うために音声信号ライン２３に介装された左右チャンネル用可変抵抗器２４ａ、２４ｂと、無線ユニット３からの音声信号つまり携帯電話６から無線を通じて送られてきた音声信号を送り出す電話音声信号ライン２５をイヤホンユニット４への音声信号ライン２３に接続するとともにＭＤプレーヤ１からの音声信号を遮断するスイッチ手段２６と、イヤホンユニット４への電話音声信号の音量調整を行うために電話音声信号ライン２５に介装された可変抵抗器２７とを備えている。
【００１７】
前記スイッチ手段２６は外部制御によりスイッチング作用を行うものであり、その外部制御信号は無線ユニット３で生成されて制御信号ライン２８を通じて送り出されるものであり、無線ユニット３が携帯電話６から着信情報を受け取った時やリモコン１００を通じてユーザが携帯電話６をオフフックする時などのタイミングでＭＤプレーヤ１からの音声信号を遮断して携帯電話６から無線を通じて送られてきた音声信号を接続するように機能する。
【００１８】
音声信号ライン２３に介装された左右チャンネル用可変抵抗器２４ａ、２４ｂは、この実施形態では、マイコン２２から独立してキーマトリックス２０のいずれかに割り当てられた音量調節つまみの操作に連動するように構成されている。それに対して、電話音声信号ライン２５に介装された可変抵抗器２７は、この電話音声信号ライン２５を流れる音声信号の音量を、無線ユニット３からの制御信号に基づくマイコン２２からの制御信号によって携帯電話６における音量調節つまみのレベルに対応した音量に調節する。図２で示した例では、電話音声の音量調節制御信号は無線ユニット３からマイコン２２を介して可変抵抗器２７に送られていたが、直接無線ユニット３から可変抵抗器２７に送るようにしてもよい。また、この可変抵抗器２７に送る音量調節制御信号は、前回の通話終了時の音量調節値を記憶しておいて、次回の通過開始時にはその音量調節値を読み出して可変抵抗器２７に送るようにしてもよい。いずれにしても、ＭＤプレーヤ１からの音声信号の音量を調節する左右チャンネル用可変抵抗器２４ａ、２４ｂとは別に、電話音声信号の音量調節専用に可変抵抗器２７が用意されているので、ＭＤプレーヤ１からの音量と携帯電話６からの音量を独立的に調整することができ、各種携帯オーディオ機器と携帯電話６との音声出力レベルの違いや携帯電話６の種別による音声出力レベルの違いを適正に調整することができる。
【００１９】
図２で示された実施形態では、スイッチ手段２６は、ＭＤプレーヤ１からの音声信号と無線ユニット３からの電話音声信号を選択的にイヤホンユニット４に送るように機能するものであったが、これに代えて、前述したスイッチ手段２６と左右チャンネル用可変抵抗器２４ａ、２４ｂと可変抵抗器２７を一体化してマイコン２２からの制御信号によって調整される音量制御ユニットとして構成し、携帯電話６の使用時にはＭＤプレーヤ１からの音声信号の音量を予め設定されたレベル（０から任意レベルまでの間）とし、携帯電話６の不使用時には無線ユニット３からの電話音声信号の音量を０とするようにしてもよい。この場合、ＭＤプレーヤ１からの音をわずかに聴きながら携帯電話６を使用することも可能となる。これは、オーディオ機器として、ＭＤプレーヤなどの携帯オーディオ機器ではなくテレビやラジオなどを利用している場合、つまり聞き直しが不可能なメディアを聴いている際に利点をもつ。
【００２０】
このリモコン１００に組み込まれている無線ユニット３は、中核となるbluetooth（ブルートゥース）コントローラ３０と、マイク９からの信号を入力するとともに電話音声信号ライン２５に電話音声を出力するＣＯＤＥＣ（コーデック）３１と、アンテナ３２と、無線ユニット用キーマトリックス３３を備えている。そしてこの実施形態では、bluetoothコントローラ３０に電話帳モジュール３４と音声認識モジュール３５を備えているが、これらのいずれか又は両方を省略してもよい。無線ユニット用キーマトリックス３３は、実装的にはリモコンユニット２のキーマトリックス２０と少なくとも部分的に兼用することが可能である。また、いずれのキーマトリックス２０、３３においても、同一キーに対する操作モード、例えば長時間の押さえつけ（キーロングプレス）、短時間の押さえつけ（キーショートプレス）、ダブルクリックやトリプルクリックなどにより異なる機能を割り付けるマルチキー割り付け機能が備えられている。電源は、リモコンユニット２と無線ユニット３で共用されている。
【００２１】
bluetoothコントローラ３０は、実質的には電話用プロファイル又はヘッドセットプロファイルないしはその両方のプロファイル機能を備えており、電話帳データベースとして機能する電話帳モジュール３４を用いてＬＣＤ２１に一覧表示された氏名の内選択された氏名に該当する電話番号を携帯電話６に送ることも可能である。また、音声認識モジュール３５に構築されている音声認識ダイアル機能を用いてマイク９からの音声入力された電話番号を数値データ化して、携帯電話６に送ることも可能である。
【００２２】
リモコン１００の無線ユニット３と無線通信する携帯電話６は、いわゆるbluetooth付き携帯電話であり、通常の携帯電話の機能にbluetoothコントローラ６０が追加されている。このようなbluetooth付き携帯電話は良く知られているので、図２で示すだけで、その説明はここでは省略する。
【００２３】
上述したようなイヤホン付きオーディオ機器用リモコン１００をＭＤプレーヤ１と携帯電話６に組み合わせて使用する際の典型的な流れを図３の流れ図を用いて説明する。  まず、ユーザがＭＤプレーヤ１にこのイヤホン付きオーディオ機器用リモコン１００を差し込んで音楽を聴いているとする（＃０１）。その際、リモコン１００の無線ユニット３の動作スイッチ（キーマトリックス３３）をオンすることにより、無線ユニット３と携帯電話６は無線通信の待ち受け状態となっている（＃０２）。携帯電話６に着信があると（＃０３）、双方のbluetoothコントローラ３０と６０の交信により問い合わせ・呼び出し状態を経て無線ユニット３と携帯電話６は無線通信接続状態となり、携帯電話６に着信があったことが着信制御信号として無線ユニット３に伝えられる（＃０４）。無線ユニット３がマイコン２２に対して着信コードを与えることにより、マイコン２２は、音楽を一時停止させるためリモート信号として「ポーズ」コマンドをＭＤプレーヤ１に送信する（＃０５）とともに、スイッチ手段２６に切換信号を送信して電話音声信号ライン２５をイヤホンシステム４に接続し（＃０６）、着信音をイヤホン４０に送信する（＃０７）。なお、携帯電話６からの着信制御信号に相手先電話番号（着信電話番号）が含まれている場合はマイコン２２を介してＬＣＤ２１にその電話番号表示し（＃０８）、着信制御信号に相手先氏名が含まれている場合はＬＣＤ２１にその氏名を表示する。また、携帯電話６からの着信制御信号に相手先電話番号が含まれている場合、着信した電話番号が電話帳モジュール３４に管理されているものであるならばその氏名をマイコン２２を介してＬＣＤ２１に表示することも可能である。
【００２４】
ユーザがこの着信した電話に応答する場合、キーマトリクス２０に割り付けられているオフフック機能のためのキー操作を行うことで（＃０９）、無線ユニット３を介して携帯電話６に着信応答としてオフフックコマンドが送信され（＃１０）、携帯電話６がオフフックして（＃１１）、ハンズフリーでの通話状態がスタートする（＃１２）。通話が完了すると、ユーザがキーマトリクス２０に割り付けられているオンフック機能のためのキー操作（通常はオフフックキー操作と同じ）を行うことで（＃１３）、無線ユニット３を介して携帯電話６に切断要求としてオンフックコマンドが送信され（＃１４）、携帯電話６がオンフックして（＃１５）、オンフック完了コードが戻されることで（＃１６）イヤホン４０に切断音が送信される（＃１７）。同時に、無線ユニット３と携帯電話６の双方のbluetoothコントローラ３０、６０の交信により無線通信接続状態から待ち受け状態に戻る（＃１８）。
【００２５】
この段階で、マイコン２２はスイッチ手段２６に切換信号を送信してＭＤプレーヤ１からの音声信号ライン２３をイヤホンシステム４に接続するとともに（＃１９）、音楽を再び再生させるためリモート信号として「プレイ」コマンドをＭＤプレーヤ１に送信する（＃２０）。
【００２６】
なお、音楽再生中のリモコン１００を用いて携帯電話６を呼制御する場合も、基本的には、図３に示した着信時の流れに類似し、キーマトリクス２０に割り付けられているオフフック機能のためのキー操作を行うことで、ＭＤプレーヤ１は一時停止され、電話帳モジュール３４もしくは音声認識モジュール３５を用いて決定された相手先電話番号が携帯電話６に送信されることで、ハンズフリー通話が可能となる。通話が終了すると、前述したステップ＃１３から＃２０のステップを経て、再び音楽再生状態となる。
【００２７】
〔別実施形態〕
図４に示されたオーディオ機器用リモコン１００は、図１〜図３を用いて説明された実施形態に比べて、オーディオ装置１とリモコン１００との間が有線接続仕様に代えて無線接続仕様となっていることで異なっている。このため、この別実施形態では、オーディオ装置１には音声信号（オーディオ信号）と表示データ（DISP）をリモコン１００に無線送信したり、リモコン１００からのリモコン信号（REMO）を受信したりする無線ユニット１０３が組み込まれるか、外付けされており、リモコン１００にも、オーディオ装置１の無線ユニット１０３と交信可能な無線ユニット２０３が組み込まれている。つまり、無線ユニット１０３はオーディオ機器１の音声出力部としても機能し、無線ユニット２０３はリモコン１００の音声入力部としても機能する。これらの無線ユニット１０３、２０３はいずれも、無線コントローラとＣＯＤＥＣを主要な構成要素としているが、その内容は良く知られているので説明を省略する。無線ユニット１０３、２０３の無線通信方式としては、赤外線、前述したbluetooth、ＵＷＢ(Ultra Wide Band)などから選択することができるが、このオーディオ装置１とリモコン１００との間の無線通信方式と携帯電話や固定電話を含む電話機６とリモコン１００との間の無線通信方式を同一とすると、例えばbluetoothを用いた場合、リモコン１００における無線ユニット３と無線ユニット２０３を兼用することが可能となる。つまり、リモコン１００に組み込まれた単一のbluetooth無線ユニットがマスタとなり、スレーブとしてのオーディオ機器１のbluetooth無線ユニット１０３や電話機６のbluetooth無線ユニット６０と任意に通信することにより、前述した音楽を聴いている途中での電話機１に対する操作が可能となる。
【００２８】
上述した実施形態の説明では、オーディオ機器として携帯型のＭＤプレーヤを取り上げたが、その他の携帯オーディオ機器、例えば携帯型ＣＤプレーヤや、メモリカード式やハードディスク式の携帯型音楽プレーヤ、さらには携帯ラジオや携帯テレビにも本発明は適用可能であるばかりか、特に第２実施形態では、据え置き型のオーディオ機器に適用することも利点をもって可能である。また、リモコン１００側のマイク９はリモコン本体に組み込まれていたが、このマイクをイヤホン（ヘッドホン）側に設けてもよいし、その際リモコン１００もヘッドホンに装備するようにしてもよい。
【図面の簡単な説明】
【００２９】
【図１】本発明によるイヤホン付きオーディオ機器用リモコンの外観を示す斜視図
【図２】イヤホン付きオーディオ機器用リモコンの機能要素を模式的に示すブロック図
【図３】イヤホン付きオーディオ機器用リモコンをＭＤプレーヤと携帯電話に組み合わせて使用する際の典型的な流れを示す流れ図
【図４】別実施形態でのイヤホン付きオーディオ機器用リモコンの機能要素を模式的に示すブロック図
【符号の説明】
【００３０】
１：オーディオ機器（ＭＤプレーヤ）
２：リモコンユニット
３：近距離無線通信ユニット（無線ユニット）
４：イヤホン（ヘッドホン）
６：電話機（携帯電話、固定電話）
８：音声入力部（ジャック）
９：マイク
１０：音声出力部（プラグ）
２６：スイッチ手段
１００：イヤホン付きオーディオ機器用リモコン
１０３：無線ユニット（音声出力部）
２０３：無線ユニット（音声入力部）
【図１】
2005311768.tif 000003
【図２】
2005311768.tif 000004
【図３】
2005311768.tif 000005
【図４】
2005311768.tif 000006